(57)【特許請求の範囲】
【請求項１】
加入者システムにおいてユーザステーション（8）を操作する方法において、
複数のユーザステーションのどれかに挿入される為に存在し、第１の操作状態をとることができる取り外し可能なデータ記憶装置（34）を加入者に提供するステップと、
１以上のユーザステーションを定義するデータを前記取り外し可能なデータ記憶装置に記憶するステップであって、前記１以上のユーザステーションは前記取り外し可能なデータ記憶装置と共に使用されることが予定されている、前記ステップと、
前記取り外し可能なデータ記憶装置が現在挿入されているユーザステーションのアイデンティティを前記取り外し可能なデータ記憶装置でモニタするステップとを含み、
前記取り外し可能なデータ記憶装置が挿入されているユーザステーションが前記取り外し可能なデータ記憶装置について定義された前記１以上のユーザステーションのメンバーでないことを、前記取り外し可能なデータ記憶装置が認識することに応じて、前記取り外し可能なデータ記憶装置は第２の操作状態にそれ自身を再構成し（68）、前記再構成するステップは、前記システムにおいて通常のサービスを得るのにユーザステーションが使用されることを防止する方法。
【請求項２】
前記再構成するステップは、前記取り外し可能なデータ記憶装置のメモリ部に保持されたデータを変更する工程を含んでいる、請求項１記載の方法。
【請求項３】
前記メモリ部は、オペレータ名ストリングを保持する為に存在する、請求項２記載の方法。
【請求項４】
前記メモリ部は、１以上の所定ダイアル番号以外のダイアル番号をかけるのに前記ユーザステーションが使用されることを防止する機能を可能にする為に存在する、請求項２記載の方法。
【請求項５】
前記メモリ部は、ＰＩＮ（暗証）番号のようなユーザ有効化コードを保持する為に存在する、請求項２記載の方法。
【請求項６】
前記現在のユーザステーションは、前記システムで使用される為に承認されたタイプである請求項1乃至５いずれか１項記載の方法。
【請求項７】
前記定義するデータは、個別のユーザステーションのアイデンティティを識別する、請求項１乃至６のいずれか一項に記載の方法。
【請求項８】
前記定義するデータは、ユーザステーションのアイデンティティの範囲を識別する、請求項１乃至７のいずれか一項に記載の方法。
【請求項９】
前記定義するデータは、ユーザステーションのタイプのアイデンティティを識別する、請求項１乃至８のいずれか一項に記載の方法。
【請求項１０】
無線インターフェースを介して前記ユーザステーションにメッセージを送信する（60、62）工程を備えており、
前記メッセージは、前記現在のユーザステーションのアイデンティティを表示するデータを備え、
前記現在のユーザステーションは、前記メッセージを前記取り外し可能なデータ記憶装置に転送する、請求項１乃至９のいずれか一項に記載の方法。
【請求項１１】
前記定義するデータを修正する（64）ステップを更に備える、請求項１乃至１０のいずれか一項に記載の方法。
【請求項１２】
前記修正するステップは、無線インターフェースを介して前記ユーザステーションにメッセージを送信する工程を備える、請求項１１記載の方法。
【請求項１３】
前記修正するステップの結果として、前記第１の操作状態に前記取り外し可能なデータ記憶装置を戻す工程を更に備える、請求項１１又は１２記載の方法。
【請求項１４】
加入者システムで複数のユーザステーション（8）のどれかに挿入される取り外し可能なデータ記憶装置（34）において、
前記取り外し可能なデータ記憶装置は、前記取り外し可能なデータ記憶装置と組み合わせて使用されることが予定された１以上のユーザステーションを定義するデータを保持するメモリ部（38）と、
前記取り外し可能なデータ記憶装置が挿入されているユーザステーションのアイデンティティをモニタする手段とを備えており、
前記取り外し可能なデータ記憶装置が挿入されているユーザステーションが前記１以上のユーザステーション内には存在しないことを、前記モニタする手段が認識することに応じて、前記取り外し可能なデータ記憶装置は、前記取り外し可能なデータ記憶装置の操作状態を変更する手段を含んでおり、
前記取り外し可能なデータ記憶装置の操作状態が変更されることにより、前記システムにおいて通常のサービスを得るのにユーザステーションが使用されることを防止する取り外し可能なデータ記憶装置。
【請求項１５】
請求項２乃至９いずれか１項記載の方法を実行するように構成されている請求項１４記載の取り外し可能なデータ記憶装置。
【請求項１６】
ＧＳＭ型の移動通信システムで使用される加入者アイデンティティモジュールの形式である請求項１４または１５記載の取り外し可能なデータ記憶装置。
【発明の詳細な説明】
【０００１】
本発明は、加入者システムにおいてユーザステーションを操作する方法に関し、当該ユーザステーションは、ＧＳＭ（移動通信用グローバルシステム）デジタルセルラー無線システムや類似のデータ記憶装置で使用されるような加入者アイデンティティモジュール（ＳＩＭ）等、取り外し可能なデータ記憶装置と共に使用されるように構成されている。
【０００２】
知られている従来のＧＳＭシステムでは、各加入者にＳＩＭが提供され、このＳＩＭは、スマートカードとも呼ばれ、加入者がユーザステーションを用いてＧＳＭネットワークでサービスを受けられるようにする為、移動電話ハンドセットとして、ユーザステーションにインストールされる。
【０００３】
ＳＩＭは、加入者が認識される国際移動加入者アイデンティティ（ＩＭＳＩ）のレコード、移動通信ネットワークによって加入者が認証される認証キーのレコードのような、様々な永久データレコードを保持する。ＳＩＭは、様々な他の加入者−特定データレコードも保持し、当該レコードの幾つかは変更可能である。
【０００４】
ＳＩＭフォーマットとＳＩＭ／ユーザステーションインターフェースは標準化されており、ＧＳＭネットワークでサービスを得る為に、ＳＩＭを多数の異なるユーザステーションのどれかに配置することが可能である。そうすることにより、ＳＩＭはユーザステーション間で容易に移送可能になるという利点はあるが、いろいろな欠点が発生する。
【０００５】
ある移動ネットワークオペレータは、独自のネットワークで使用する為にユーザーステーションの初期コストに助成金を支給している。しかし、一のネットワークでの使用を予定したユーザステーションから他のネットワークでの使用を予定したユーザステーションにＳＩＭを移送することが可能であることから、一のネットワークオペレータにより提供された助成金が、異なるネットワークオペレータの利益にも使われてきた。
【０００６】
さらに、ＳＩＭが配置されるユーザステーションは盗まれるかもしれない。今までは、盗まれたユーザステーションを使ってネットワークのサービスを得ることが可能であった。
【０００７】
ＧＳＭ技術仕様書02.22から一般的に導かれる、ＳＩＭに対しユーザステーションに「掛け金」を掛けることを許容する多数のメカニズムが知られている。掛け金は、ユーザステーションに挿入されている有効なＳＩＭ上で実行される。異なるＳＩＭを有するユーザステーションの操作を防止することが予定された掛け金は、所定の掛け金外しコードが当該ユーザステーションに入力されるまで不変であり、その後、掛け金機能は永久的に不能になる。これらのタイプの掛け金機構は、ユーザステーションで提供されたソフトウエアのセキュリティに依存し、このセキュリティは、時折、断固とした詐欺師によって欺かれる。
【０００８】
また、盗まれたユーザステーションの使用者を妨げる為、ネットワークベースのメカニズムも知られている。ＧＳＭネットワークのオペレータは、機器アイデンティティ登録（ＥＩＲ）を保持することが可能で、このＥＩＲは、国際移動機器アイデンティティ（ＩＭＥＩ）及びそれらの付随したステータスのリストを保持するものである。ＥＩＲは、ユーザステーションが盗まれたという理由から、阻止されるべきユーザステーション用ＩＭＥＩのブラックリストを保持することが可能である。しかし、このメカニズムは、盗まれたユーザステーションをネットワークオペレータに最初に通知すること、その後、ネットワークから当該ユーザステーションを積極的に阻止するか否かの決断を下すことを必要とする。
【０００９】
EP-A-0675659は、移動ユーザステーション用“自動不能”装置を記述する。ネットワークオペレータは、盗まれたユーザステーションのＩＭＥＩのリストを集め、当該リストをネットワーク内で散布する。ユーザステーションは、盗まれたＩＭＥＩのリストをバッファメモリで保存し、保存されたリストのＩＭＥＩの各々とユーザステーションのＩＭＥＩとを比較する。ユーザステーションのＩＭＥＩが、保存されたリストの項目と一致する場合、ユーザステーションは、当該ユーザステーションが不能であること、当該ユーザステーションの送信機を不能にするように手続きを進めることを表示するメッセージをネットワークに送信する。また、このメカニズムは、ネットワークオペレータが、盗まれた移動ステーションのアイデンティティを知っていること、リストにＩＭＥＩを配置するとき、阻止決定をネットワークで散布させることを要する。
【００１０】
本発明の一態様は、各々が複数のユーザステーションのいずれかに挿入される為に存在する取り外し可能なデータ記憶装置を複数の加入者に提供するステップと；
前記データ記憶装置の各々について、セットになった一以上のユーザステーションを定義するデータを保持するステップであって、前記ユーザステーションは前記データ記憶装置と共に使用されることが予定され、各々の前記セットは異なっている、前記ステップと；
前記データ記憶装置が現在挿入されているユーザステーションのアイデンティティをモニタするステップと；
現在挿入されているユーザステーションが前記データ記憶装置について定義された前記セットのメンバーでないことを基準として、データ記憶装置の操作状態を変更するステップと；
を備える。
【００１１】
この態様は、ユーザステーションの所定セットを各データ記憶装置に付随させ、データ記憶装置が、その所定セット内に記載されていないユーザステーションに挿入されるときには、自動的に当該データ記憶装置内でアクションをとらせる。そのようなアクションは、データ記憶装置内で保持されたオペレータ名ストリングを上書きする工程を含む、多数のオプションのいずれかで構成することが可能であり、“ダイアルオペレータ”のような所定のメッセージがオペレータ名の代わりにユーザステーションのディスプレイ上に表れ、一以上の所定ダイアル番号を除く、どんなダイアル番号に対して行われる通話をも防止する為に、ユーザステーションにおいて固定されたダイアルリスト機能を作動させ、更に／又は、ネットワークにおけるサービスを得るのに必要なデータ記憶装置内のレコードを上書きする。
【００１２】
定義データは、（ＧＳＭ型システムで、ＩＭＥＩによって）個別的にユーザステーション、（ＧＳＭ型システムで、ＩＭＥＩの範囲を特定することによって）ユーザステーションの範囲、及び／又は（ＧＳＭ型システムで、ＩＭＥＩ内に含まれるタイプ承認コード（ＴＡＣ）を特定することによって）ユーザステーションのタイプを識別することが可能である。これにより、取り外し可能なデータ記憶装置と組み合わされて使用されることがあるユーザステーションの仕様書において著しい柔軟性が許容される。
【００１３】
本発明の他の態様によると、加入者システムにおいて複数のユーザステーションのどれかに挿入される為に取り外し可能なデータ記憶装置が備えられており、前記記憶装置は、前記データ記憶装置と組み合わされて使用されることが予定されたセットになった一以上のユーザステーションを定義するデータを保持するメモリ部と、データ記憶装置が現在挿入されているユーザステーションが前記セットに存在しない場合、前記データ記憶装置の操作状態を変更する手段とを備える。
【００１４】
本発明の、この態様は、データ記憶装置が所定の操作状態を提供する、一以上のユーザステーションのアイデンティティが特定される機能性を有する取り外し可能なデータ記憶装置を備える。データ記憶装置が挿入されているユーザステーションと組み合わされてデータ記憶装置が使用されないことが好ましい場合、変更された操作状態は、例えば、ネットワークにおいて限定されたサービスを提供してもよい。
【００１５】
本発明の他の態様によると、加入者システムにおいてユーザステーションを操作する方法であって、
複数のユーザステーションのいずれかに挿入する為に取り外し可能なデータ記憶装置を提供するステップと；
前記データ記憶装置に固有のデータを保持するステップであって、前記データは、前記データ記憶装置と共に使用されることが予定されたセットになった一以上のユーザステーションを定義する、前記ステップと；
前記現在のユーザステーションが前記セット内に存在しないことを基準として、データ記憶装置が現在挿入されているユーザステーションの操作状態を変更するステップと；
前記データ記憶装置と共に使用されることが予定された少なくとも一つの他の移動ステーションを識別する為に、前記データ記憶装置に固有のデータを修正するステップと；
を備える方法が提供される。
【００１６】
この態様は、特定のデータ記憶装置が共に使用されるセットになったユーザステーションが更新されるメカニズムを提供する。例えば、当初は、該当するデータ記憶装置と組み合わせて使用されることが予定されていない場合であっても、現在使用されているユーザステーションがシステムオペレータにとって許容可能であることを決定してもよい。
【００１７】
本発明の更なる態様によると、加入者システムでユーザステーションを操作する方法であって、
複数のユーザステーションのどれかに挿入する為に、取り外し可能なデータ記憶装置を提供するステップと；
特に前記データ記憶装置と共に使用されることが予定された一以上のユーザステーションを特定するデータを保持するステップと；
前記データ記憶装置が現在挿入されているユーザステーションのアイデンティティをモニタするステップであって、前記現在のユーザステーションは、前記システムで使用される為に承認されたタイプである、前記ステップと；
前記現在のユーザステーションが前記特定するデータによって識別されないことを基準として、データ記憶装置の操作状態を変更するステップと；
とを備える前記方法を提供する。
【００１８】
本発明の、この態様は、データ記憶装置が異なるユーザステーションに挿入される場合、その異なるユーザステーションがデータ記憶装置を共に使用されることが予定された、積極的に識別されたユーザステーションの一つでないとき、セットになった一以上のユーザステーションが積極的に識別されること、更に当該データ記憶装置の操作状態が変更されることを許容するものである。
【００１９】
本発明の他の特徴及び利点は、添付図面を参照した、本発明の特別な実施例の以下の説明から明白になるであろう。
【００２０】
【発明の詳細な説明】
パブリックランド移動ネットワーク（ＰＬＭＮ）とも呼ばれる、ＧＳＭネットワークは、図１に概略的に示されている。これは、それ自体は知られているが、詳細には説明されていない。移動スイッチセンタ（ＭＳＣ）２は、通信リンクを介して、多くのベースステーションコントローラ（ＢＳＣ）４に接続されている。ＢＳＣ４は、移動スイッチセンタ２によるサービス領域を地理的に横切って分散される。各ＢＳＣ４は、ＢＳＣから遠くに位置し、更なる通信リンクによりＢＳＣに接続された、一以上のベーストランシーバーステーション（ＢＴＳ）６を制御する。各ＢＴＳ６は、無線信号を、そのＢＴＳによるサービス領域に存在する移動ステーション８に送信し、また、そこから無線信号を受信する。その領域は「セル」と呼ばれる。ＧＳＭネットワークには、そのような数多くのセルが供給されており、それらは、全体のネットワーク受け持ち領域に対する連続したサービス区域を与える為、観念的には隣接している。
【００２１】
移動スイッチセンタ２は、同様に、通信リンクを介して、移動通信ネットワークの残部において他の移動スイッチセンタ、更に、図示されていない公共サービス電話ネットワーク（ＰＳＴＮ）のような他のネットワークに接続されている。移動スイッチセンタ２には、各ＳＩＭ内に記憶され、各ＳＩＭに独特な、国際移動加入者アイデンティティ（ＩＭＳＩ）を含む加入者認証データを保存するデータベースである、ホームロケーションレジスタ（ＨＬＲ）１２が備え付けられている。
【００２２】
移動スイッチセンタも同様に、図１には示されていないが、その領域内でアクティブな移動ステーション用の加入者認証データを一時的に記憶するデータベースである、ビジタロケーションレジスタ（ＶＬＲ）が備え付けられている。
【００２３】
さらに、移動ネットワークは、短いメッセージサービスセンタ（ＳＭＣ）１３を含み、それは、（ヨーロッパ特許出願第0562890に説明され、本願に引用により当該内容が組み込まれる）選択された移動ステーションに対する遠隔ＳＩＭ更新（ＲＳＵ）メッセージを送信する為に、更に、選択された移動ステーションに対する従来のＧＳＭ型の短いメッセージサービス（ＳＭＳ）メッセージを送信する為に、適用される。
【００２４】
さらに、本発明によると、当該ネットワークには、ＩＭＥＩ／ＩＭＳＩレジスタ（ＩＩＲ）１４が備えられており、それは、ネットワークに付随したＳＩＭに属するＩＭＳＩのリストを保持するデータベースになっており、各ＩＭＳＩレコードに対しては、ＳＩＭが最後に挿入されたことが知られたユーザステーションのＩＭＥＩのレコードが存在する。
【００２５】
図２を参照すると、移動ステーション８は、送受信用アンテナ１６、無線周波数送信機１８、拡声器２２及びマイクロフォン２４に接続されたスピーチ符号器／解読器２０、プロセッサ回路２６及びその付随メモリ２８、ＬＣＤディスプレイ３０、マニュアル入力ポート（キーパッド）３２を備える。移動ステーションは、電気接触子３５を介して、取り外し可能なＳＩＭ３４に接続されている。国際移動機器識別（ＩＭＥＩ）は、移動ステーションメモリ２８の不揮発部に記憶されている。
【００２６】
移動ステーションに接続されたＳＩＭ３４は、ＳＩＭプロセッサ３６、例えば日立Ｈ８マイクロプロセッサと、ＳＩＭメモリ３８を有し、これは例えば、ＳＩＭオペレーティングシステムを含む１６キロバイトのマスクプログラムＲＯＭ、データ項目の不揮発性記憶用８キロバイト読み書き用ＥＥＰＲＯＭ、動作中にＳＩＭプロセッサ３６による使用の為に２５６バイトのＲＡＭを含む。
【００２７】
現在、ＳＩＭの、２つの物理的フォーマットは、ＧＳＭ及びＩＳＯ基準により特定されている。最初の基準は、ＩＤ−１  ＳＩＭとして言及され、それは、ＩＳＯ７８１６基準に適合し、従来のクレジットカードと類似した寸法を有する、取り外し可能なスマートカードである。２番目の基準は、プラグインＳＩＭとして言及され、それは、ＩＤ−１  ＳＩＭと同じ厚さのスマートカードであるが、２５ミリメートルの長さ、１５ミリメートルの幅である。
【００２８】
上述したように、ＳＩＭ３４は、移動ステーション８のプロセッサ２６によりデータ項目の保存及び修正用に用いられる。移動ステーションプロセッサ２６及びＳＩＭプロセッサ３６間のインターフェースを介して通信されるデータに対する、データ符号フォーマット、コマンドセット、データファイル構造は、全て、ＧＳＭシステム、ＧＳＭ技術仕様書11.11で特定されている。
【００２９】
図３は、本発明の一実施例による、ＳＩＭメモリ３８のＥＥＰＲＯＭに保持されたＩＭＥＩ設定レコードを示す。このＩＭＥＩセットレコードは、ＳＩＭ３４が共に使用されることが予定されたユーザステーションに対し、交互に各ＩＭＥＩを特定する、ＩＭＥＩのリストを保持する。
【００３０】
ＧＳＭ仕様書に定義されたＩＭＥＩは、以下の要素を含む。
１．特定ハンドセット型に独特な、６桁のタイプ承認コード（ＴＡＣ）
２．ユーザステーションに対し最終的アセンブリプランを識別する、２桁のファクトリコード（ＦＡＣ）
３．所定の型の各移動ステーションに独特な、６桁のシリアル番号
４．１桁のチェック桁
５．ＧＳＭ位相２型ユーザステーションのみに対し、２桁のソフトウエアバージョンコード
図４は、特定のＳＩＭ３４と組み合わせて用いられることが予定されたユーザステーションのＩＭＥＩを記入する為の、他のＩＭＥＩ設定レコードフォーマットを示す。このフォーマットでは、ＩＭＥＩ番号の範囲のリストが与えられており、各エントリは、そのＩＭＥＩ範囲の下限と上限を記入する。
【００３１】
図５は、ＳＩＭ３４と共に用いられることが予定されたユーザステーションのＩＭＥＩを記入する為の、更に他のＩＭＥＩ設定レコードフォーマットが図示されている。このフォーマットでは、ＴＡＣのリストが与えられ、各エントリは特別なＴＡＣを記入する。このＩＭＥＩ設定レコードフォーマットは、型−特定識別子として型承認コードの使用を考慮し、本質的にはユーザステーションを型で識別する。
【００３２】
図３から図５に示されたＩＭＥＩ設定レコードフォーマットのいずれも、単独あるいは組み合わせで、ＳＩＭメモリ３８に備えられることが可能である。
【００３３】
ＩＭＥＩ設定レコードは、実用上、ＳＩＭ３４と共に使用されることが予定された移動ステーション８の数に依存して、一以上のエントリを保持する。
【００３４】
図６は、本発明の一実施例によって実行されたＩＭＥＩ更新手続きを図示する。この手続きは、ＳＩＭ３４が一緒に使用されることが予定されていないユーザステーションを備えたＳＩＭ３４の使用を禁止するように設計されている。
【００３５】
移動ステーション８が以前にスイッチを切られたロケーションエリアで当該移動ステーションのスイッチが入れられるとき、その移動ステーション８は、「ＩＭＳＩ取り付け」手続きを初期化するネットワークに信号を送信する。このＩＭＳＩ取り付け手続きは、ＳＩＭ識別子、この場合は移動ステーション８に取り付けられたＳＩＭ３４の暫定移動加入者識別子（ＴＭＳＩ）だけでなく移動ステーション８のＩＭＥＩも同様に目的をチェックする為にネットワークに送信する、移動ステーション８を必要とする。ＩＭＳＩ取り付け手続きの結果、ＭＳＣ２のＶＬＲにおけるフラグが設定され、移動ステーション８のスイッチが入れられ、かかってくる通話を受信可能であることが表示される。
【００３６】
その後、ＭＳＣ２は、ＩＩＲ１４に問い合わせがなされ、該当するＳＩＭ３４に対するＩＭＳＩレコードに対して保持されたＩＭＥＩを修正し、ＳＩＭ３４が以前に挿入された移動ステーション８の、最後に知られたＩＭＥＩを表示する（ステップ５６）。現在ネットワークにおいて信号で通信されたＩＭＥＩが、以前にＩＩＲ１４で保持されたＩＭＥＩと同一である場合、決定ステップ５６の、ＩＭＥＩ更新手続きは終了する。
【００３７】
しかし、ネットワークにおいて現在信号で通信されたＩＭＥＩがＩＩＲ１４で以前に保存されたものと異なる場合、ＭＳＣ２は、ＩＩＲに指令を出し、該当するＩＭＳＩ用レコードに対しネットワークにおいて現在信号で通信されたＩＭＥＩを保存する（ステップ５８）。ＭＳＣ２は、その後、現在のＩＭＥＩをＳＭＣ１３に転送する手続きを行う（ステップ６０）。
【００３８】
現在のＩＭＥＩを受信すると、ＳＭＣ１３は遠隔ＳＩＭ更新（ＲＳＵ）の短いメッセージサービス（ＳＭＳ）のメッセージを生成し、ＭＳＣ２、ＢＳＣ４、サービングＢＴＳ６を介して、それを移動ステーション８に送信する。このＲＳＵ  ＳＭＳメッセージは、EP-A=0562890に説明されているようなものである。ＲＳＵ  ＳＭＳメッセージには、ＳＩＭプロセッサ３６にＳＭＳメッセージが、ＲＳＵ  ＳＭＳメッセージであり、かつ、ＳＩＭプロセッサ３６にアドレスされネットワークにおいて移動ステーションにより現在信号で通信されたＩＭＥＩを記憶する為のコマンドであることを表示するフラグが含まれている。
【００３９】
ＲＳＵ  ＳＭＳメッセージを更新する現在のＩＭＥＩを受信すると、従来のＳＭＳメッセージとして保存する為に、移動ステーションプロセッサ２６は、インターフェース３５を介して、メッセージをＳＩＭプロセッサ３６に転送する。しかし、ＳＭＳメッセージにはＲＳＵフラグが含まれている為、ＳＩＭプロセッサ３６は、従来のＳＭＳメッセージとしてメッセージを保存せず、ＲＳＵメッセージ内に含まれる命令を行い、すなわち、現在のＩＭＥＩレコード内のメッセージにおけるＩＭＥＩをＳＩＭメモリ３８に保存する（ステップ６４）。
【００４０】
ＳＩＭプロセッサ３６は、現在のＩＭＥＩレコードに保存されたＩＭＥＩを、ＩＭＥＩ設定データレコード内に記入された所定セットのＩＭＥＩと比較する。
【００４１】
現在のＩＭＥＩが当該セット内に存在する場合、ＳＩＭ３４は、更なるアクションはとらない。しかし、現在のＩＭＥＩがＳＩＭ３４の為に定義されたセット内に存在しない場合、ＳＩＭプロセッサ３６は、ＳＩＭオペレーティングシステムの管理下で、可能な多くのオプションのいずれか又は全てに基づき、ＳＩＭを自動再構成する（ステップ６８）。
【００４２】
第一のオプションは、ＳＩＭプロセッサ３６がＳＩＭメモリ３８内のレコードに保存されたオペレータ名ストリングをユーザに対するメッセージで上書きすることであるが、そのメッセージには移動ステーション８がＳＩＭ３４と共に使用されることが予定されていないことが表示されている。これにより移動ステーションの効果を有し、移動ステーション８のスイッチが入れられるとき、ディスプレイ３０のユーザに、移動ネットワークオペレータの名前というよりメッセージを提示する。
【００４３】
第二のオプションは、ＳＩＭプロセッサ３６がＳＩＭメモリ３８内でフラグを設定するもので、そのフラグは、「固定ダイヤル」機能が移動ステーション８で可能であることを表示するものである。この機能の有効化は、効率的に移動ステーション８が、ＳＩＭメモリ３８内の固定ダイヤル番号（ＦＳＮ）リストに保持された一以上のダイヤル番号以外の番号をかける為に用いられることを防止するものである。ＳＩＭプロセッサ３６は同様に、顧客サービスヘルプデスクのような所定の番号をＦＤＮリストに入力し、ネットワークオペレータの助けをかりて、ＳＩＭ／移動ステーションの不適合問題を解決できる。このオプションが実行される場合、所定のダイヤル番号は、ＳＩＭ内で予めプログラムされるか、現在のＩＭＥＩを含むＲＳＵ  ＳＭＳメッセージに含めることが可能である。
【００４４】
第三のオプションは、ＳＩＭに保持された重大なデータレコードを不使用にし、移動ステーションがネットワーク内でサービスを受けることを防止することである。例えば、その再構成された状態でのＳＩＭのプロセッサ３６は、移動ステーション８による認証キーレコードへのアクセスを防止し、それによって、移動ステーション８のユーザがネットワークで適切に認証されないことを保証し、効率的にユーザがそのネットワークでサービスを得ることを阻止する。他の決定的なＳＩＭレコードが、代替え的または同様に不使用にされてもよい。
【００４５】
第四のオプションは、ＳＩＭ３４のメモリ３８に保持されたユーザのＰＩＮ番号レコードを変更することである。これにより、例えばユーザが顧客サービスヘルプデスクに連絡することにより、新たなＰＩＮを得るまでユーザがＳＩＭ３４を使用することが効率的に阻止される。このオプションが実行される場合、新たなＰＩＮは、ＳＩＭに予めプログラムされるか、現在のＩＭＥＩを含むＲＳＵ  ＳＭＳメッセージに含まれる。
【００４６】
上記オプションのいずれか又は全て、及びその変形例を、単独あるいは組み合わせで使用することが可能である。オプションの組み合わせの起動エレメント間には一定の時間的遅れがあってもよい。例えば、ＳＩＭプロセッサ３６によってとられる初期ステップは、ＳＩＭメモリ３８内で保持されるオペレータ名ストリングを上書きすることでもよい。所定の遅れ時間の後、現在のＩＭＥＩが許容可能な移動ステーション８（すなわち、ＩＭＥＩセットレコード内で認識された一つ）で更新されなかった場合、ＳＩＭ３４は、固定ダイヤル番号機能を有効化し、更に／又は決定的ＳＩＭレコードを付しようにし、更に／又はＰＩＮ番号レコードを上書きする。
【００４７】
上述したように再構成されたＳＩＭ３４を有し、移動ステーション８のユーザは、ユーザステーションのディスプレイに表れるメッセージで思い付くか、一つ以上のＳＩＭ３４の機能が不使用になることにより、ＳＩＭ／移動ステーション不適合問題を解決する為に、ネットワークオペレータに連絡するよう強いられる。その結果、ネットワークオペレータは、ＳＩＭ３４と共に現在使用されている移動ステーション８が許容可能か否かについて決定を下すことができる。
【００４８】
新しい移動ステーション８が許容可能である場合、ネットワークオペレータは、移動ステーション８の現在のＩＭＥＩをＩＩＲ１４から修正し、ＳＭＣ１３に発信されるコマンドを生成し、ＲＳＵ  ＳＭＳメッセージを更新するＩＭＥＩセットレコードを創設する。ＲＳＵ  ＳＭＳメッセージを更新する、このＩＭＥＩセットレコードは、移動ステーション８の現在のＩＭＥＩをＩＭＥＩセットレコードに保存する為に、ＳＩＭプロセッサ３６に対するコマンドを含む。このＲＳＵ  ＳＭＳメッセージは、EP-A-0562890に説明されたように構成され移動ステーション８に送られる。
【００４９】
ＲＳＵ  ＳＭＳメッセージを更新するＩＭＥＩセットを受け取ると、移動ステーションプロセッサ２６は、従来のＳＭＳメッセージとして保存する為に、インターフェース３５を介して、ＳＩＭプロセッサにメッセージを転送する。しかし、ＳＭＳメッセージはＲＳＵフラグを含むという理由から、ＳＩＭプロセッサは、従来のＳＭＳメッセージとしてメッセージを保存しないが、ＲＳＵ  ＳＭＳメッセージに含まれるコマンドの実行、すなわち、現在のＩＭＥＩをＩＭＥＩセットレコードに加える。現在のＩＭＥＩは、その後、現在のＩＭＥＩレコード及びＩＭＥＩセットレコードの両方に出現することから、ＳＩＭプロセッサ３６は以前に着手された再構成を置き換え、もって、その正常な操作状態にＳＩＭ３４を戻す。
【００５０】
ＲＳＵ  ＳＭＳメッセージを更新するＩＭＥＩセットは、ＩＭＥＩセットレコードから一つ以上のＩＭＥＩを追加または削除する為に、ネットワークオペレータにより、いつでも、ＳＩＭ３４に送信されてもよい。これにより、ＳＩＭ３４と共に用いられることが予定された移動ステーション８のセットが変更される。例えば、加入者が、ＳＩＭ３４と共に使用される移動ステーション８の切迫した変更をネットワークオペレータに通知する場合に、これが要求される可能性がある。また、ネットワークオペレータは、移動ステーションの一つ以上の範囲や型で使用されることが最初に予定されたＳＩＭ３４の場合、ＳＩＭ３４と共に使用されることが許容されている移動ステーション８の追加の範囲や型が導入されるとき、ＲＳＵ  ＳＭＳメッセージを更新するＩＭＥＩセットを創設することができる。
【００５１】
上述した実施例の可能な変形や変更が予想される。
【００５２】
前述した実施例におけるＳＩＭ３４に対して定義された機能性によると、ＳＩＭプロセッサ３６は、移動ステーション８のＩＭＥＩを突き止める為、移動ステーション８のメモリ２８に直接、問い合わせすることはできない。しかし、他のＳＩＭ／移動ステーションの機能性を備えて、ＳＩＭプロセッサ３６は、移動ステーション２６に問い合わせ、直接、ＩＭＥＩ移動ステーションメモリ２８を修正することは可能である。その後、ＳＩＭ３４は、ネットワークを通じて現在のＩＭＥＩ通知発行を要することなく、自動的に再構成することができるであろう。
【００５３】
また、ＳＩＭと組み合わせて使用されることが予定されたセットになったＩＭＥＩを定義するレコードが、ＳＩＭメモリ３８内に保持される必要はない。例えば、異なるＳＩＭに割り当てられた一連のＩＭＥＩを定義するレコードは、ネットワーク内のＩＩＲ１４に保持されてもよい。ネットワークに、ＳＩＭ３４に付随した現在のＩＭＥＩが通知されるとき、ＭＳＣ２は、ＩＩＲ１４内のＳＩＭ３４に対し定義されたセットを参照して、ＳＩＭ３４が挿入された移動ステーション８が、割り当てられたセットのメンバであるか否かを突き止める。そうでない場合、ＭＳＣ２は、以前に提案されたいずれかのオプションを用いて、ＳＩＭ３４の再構成の効果を有する、ＳＭＣ１３を介して送られるべき、ＲＳＵ  ＳＭＳメッセージを創設することができる。例えば、ＲＳＵ  ＳＭＳメッセージは、その後、ＳＩＭメモリ３８内に保持されたオペレータ名ストリングを上書きするようＳＩＭプロセッサに命令する移動ステーションに送られ、ＳＩＭメモリ３８内にフラグを設定することによりＦＤＮ機能を有効にし、決定的なＳＩＭレコードを不使用にし、更に／又はＳＩＭメモリ３８内のＰＩＮ番号レコードを変更する。
【００５４】
さらに、上述した実施例において、ＩＭＳＩ取り付け手続きは、ＳＩＭ３４が現在挿入されている移動ステーションのＩＭＥＩをネットワークに通知する為に使用されているが、移動ステーション８とネットワーク間の無線インターフェースにわたって実行される他の適切な信号手続きが、移動ステーション８のＩＭＥＩを確認する為に使用されてもよい。例えば、ＩＭＥＩが、ロケーション更新手続き中、認証手続き中などで、移動ステーション８から信号で通信されてもよい。
【００５５】
本発明は、移動ステーションのＩＭＥＩ内のＴＡＣで表示されるように、特定の型の、互換性ある移動ステーションを用いた使用が設計されたＳＩＭに関連して、特に有利に利用される。例えば、移動ステーション８は、特別な機能的特徴を備えてもよく、ＳＩＭは、その機能を実現する為に移動ステーション８による使用の為にデータ分野を有する。本発明は、ＳＩＭ３４が共に使用されることが予定された型でない移動ステーション８で使用されるとき、ＳＩＭ３４が再構成されることを許容するものである。特定の方法で現在の移動ステーション８を不使用にするより、現在の移動ステーション８に備え付けられない機能に付随した機能性を抑制又は変更するようにＳＩＭ３４が再構成されてもよい。
【００５６】
最後に、本発明はＧＳＭ型ネットワーク（すなわち、ＧＳＭネットワーク及びその変形例、例えばＤＣＳ１８００ネットワーク）に関連して説明されてきたが、本発明は、ＴＤＭＡ、ＣＤＭＡ、あるいは他の無線インターフェースプロトコルを用いて、スマートカードのような取り外し可能なデータ記憶装置を利用する他のタイプの加入者システムにおいて、使用しようとなかろうと、他の型の移動通信ネットワークでも実現可能である。
【００５７】
更なる変形または変更は、本発明の範囲から逸脱することなく、行われることが理解されるであろう。
【図面の簡単な説明】
【図１】  図１は、セルラー移動無線通信システムを概略的に示すブロックダイアグラムである。
【図２】  図２は、図１のシステムで使用される移動ステーションを概略的に示すブロックダイアグラムである。
【図３】  図３は、本発明の実施例によるＳＩＭで保持されるデータレコードを示す。
【図４】  図４は、本発明の実施例によるＳＩＭで保持されるデータレコードを示す。
【図５】  図５は、本発明の実施例によるＳＩＭで保持されるデータレコードを示す。
【図６】  図６は、本発明に従って実行される手続きを示すフローダイアグラムである。
【図１】
0004222722.tif 000002
【図２】
0004222722.tif 000003
【図３】
0004222722.tif 000004
【図４】
0004222722.tif 000005
【図５】
0004222722.tif 000006
【図６】
0004222722.tif 000007